(57)【要約】【課題】映像を見る対象人物に対して個別の映像を見せることが可能な表示映像コントロールシステム１，１Ａおよび再生映像コントロール方法を提供し、利用者の満足度を向上させる【解決手段】表示映像コントロールシステム１，１Ａは、複数の卓上表示装置７，７Ａと、管理装置２，２Ａとで構成され、前記管理装置２，２Ａは、メニュー操作部１１による入力操作に従って前記各卓上表示装置７，７Ａに対して再生映像を指定する制御信号４４を送信する再生映像指定処理を実行する構成であり、前記卓上表示装置７，７Ａは、前記制御信号４４を受信すると、該制御信号４４の内容を読取り、該制御信号４４に従って記憶部３４に記憶している映像データを再生表示する構成である。【選択図】図３
2011004128.tif 000002
【特許請求の範囲】
【請求項１】
映像を表示する映像表示手段と、映像データを記憶する記憶手段と、通信を行う通信手段とを備えた複数の映像表示端末と、
映像コントロール用の制御データを記憶する記憶手段と、操作入力を受け付ける入力手段と、前記各映像表示端末と通信する通信手段とを備えたコントローラとで構成され、
前記コントローラは、
前記入力手段による入力操作に従って前記各映像表示端末に対して再生映像を指定する再生映像指定信号を送信する再生映像指定処理を実行する構成であり、
前記映像表示端末は、
前記再生映像指定信号を受信すると、該再生映像指定信号の内容を読取り、該再生映像指定信号に従って前記記憶手段に記憶している映像データを再生表示する構成である
再生映像コントロールシステム。
【請求項２】
前記再生映像指定処理は、
全ての前記映像表示端末に同一映像を再生表示させる共通映像指定処理と、
一部の前記映像表示端末にのみ所定の映像を再生表示させ他の前記映像表示端末に異なる映像を表示させる個別映像指定処理とで構成した。
請求項１記載の再生映像コントロールシステム。
【請求項３】
前記再生映像指定信号は、映像データを指定する映像指定情報が含まれる構成である
請求項１または２記載の再生映像コントロールシステム。
【請求項４】
前記再生映像指定信号は、映像表示端末を指定する端末指定情報が含まれる構成である
請求項１、２または３記載の再生映像コントロールシステム。
【請求項５】
前記映像表示端末の記憶手段は、
前記映像データと前記映像指定情報を紐付けて記憶する構成であり、
該紐付けは、全ての映像表示端末に同一の映像指定情報を用い
各映像表示端末の記憶手段に、前記映像指定情報に紐付けた映像データを記憶する構成である
請求項３記載の再生映像コントロールシステム。
【請求項６】
前記コントローラは、前記通信手段により映像データを送信する映像送信処理を実行する構成であり、
前記再生映像指定信号は、前記映像送信手段で送信する映像データを再生する映像表示端末を指定する信号であり、
前記映像表示端末は、
映像データを受信しつつ該映像データの映像を再生するストリーミング再生手段を備え、
該ストリーミング再生手段は、前記通信手段により受信した前記再生映像指定信号が自己を指定している場合に、ストリーミング再生を行う構成である
請求項１記載の再生映像コントロールシステム。
【請求項７】
映像を表示する映像表示手段と、映像データを記憶する記憶手段と、通信を行う通信手段とを備えた複数の映像表示端末と、
映像コントロール用の制御データを記憶する記憶手段と、操作入力を受け付ける入力手段と、前記各映像表示端末と通信する通信手段とを備えたコントローラとを用いて、各映像表示端末にて再生する映像をコントロールする再生映像コントロール方法であって、
前記コントローラは、
前記入力手段による入力操作に従って前記各映像表示端末に対して再生映像を指定する再生映像指定信号を送信する再生映像指定処理を実行し、
前記映像表示端末は、
前記再生映像指定信号を受信すると、該再生映像指定信号の内容を読取り、該再生映像指定信号に従って前記記憶手段に記憶している映像データを再生表示する再生映像コントロール方法。
【発明の詳細な説明】
【技術分野】
【０００１】
この発明は、例えば複数のディスプレイにて再生する映像を集中的にコントロールするような再生映像コントロールシステムおよび再生映像コントロール方法に関する。
【背景技術】
【０００２】
従来、結婚式の披露宴会場では、キャンドルサービスやケーキカットなど、様々な演出が行われている。この演出は、「世界でひとつだけ」をキーワードに、差別化を望むカップルの要望から、結婚披露宴会場によるオリジナルコーディネートが発展してきている。この流れにより、近年の演出は、蛍光液を利用したものや風船を利用したものなど多様化しており、さらに変化のある演出が望まれている。
【０００３】
このような演出において、映像を用いるものとして、プロジェクタでの映像投影も行われている。このプロジェクタで映像を投影するシステムとして、結婚式場で撮影した写真や参列者名を放映する結婚式情報配信システムが提案されている（特許文献１参照）。この結婚式情報配信システムは、撮影した映像を編集・加工して記憶媒体に書込み、プロジェクタによって放映するものである。
【０００４】
他に映像を取り扱うシステムとして、各種結婚式場等における画像表示システムが提案されている（特許文献２参照）。このシステムは、指輪交換等の各種儀式を撮影して画面に表示することや、参列者の顔等を撮影して画面に表示することにより、各種儀式や参列者の表情を明確に視認できるとされている。
【先行技術文献】
【特許文献】
【０００５】
【特許文献１】ＷＯ２００５／０６２２２１号公報
【特許文献２】特開２００１−３３９７１７号公報
【発明の概要】
【発明が解決しようとする課題】
【０００６】
しかし、上述した各システムは、いずれも表示手段に表示する映像が定まっているものであり、演出のオリジナル性に欠けるものであった。すなわち、前者の結婚式情報配信システムは、プロジェクタにて会場全体に放映するものであるから、例えば参加者個別やテーブル別にのみ異なる映像を放映するといったことができなかった。また、後者の画像表示システムは、新郎新婦用の表示手段と参列者用の表示手段が異なり、それぞれに違う映像を表示できるものの、それ以上のことはできなかった。すなわち、参加者やグループを特定して映像を放映するといったことはできなかった。
【０００７】
この発明は、上述の問題に鑑み、映像を見る対象人物に対して個別の映像を見せることが可能な再生映像コントロールシステムおよび再生映像コントロール方法を提供し、利用者の満足度を向上させることを目的とする。
【課題を解決するための手段】
【０００８】
この発明は、映像を表示する映像表示手段と、映像データを記憶する記憶手段と、通信を行う通信手段とを備えた複数の映像表示端末と、映像コントロール用の制御データを記憶する記憶手段と、操作入力を受け付ける入力手段と、前記各映像表示端末と通信する通信手段とを備えたコントローラとで構成され、前記コントローラは、前記入力手段による入力操作に従って前記各映像表示端末に対して再生映像を指定する再生映像指定信号を送信する再生映像指定処理を実行する構成であり、前記映像表示端末は、前記再生映像指定信号を受信すると、該再生映像指定信号の内容を読取り、該再生映像指定信号に従って前記記憶手段に記憶している映像データを再生表示する構成である再生映像コントロールシステムであることを特徴とする。
【０００９】
前記映像表示端末は、ディスプレイを備えたパーソナルコンピュータや携帯情報端末、制御装置等を備えたディスプレイ、あるいは制御装置等を備えたプロジェクタなど、映像を表示できる適宜の装置で構成することができる。
【００１０】
前記映像コントロール用の制御データは、映像の再生順序を示すデータ、どの映像表示端末でどの映像を再生するか指定するデータ、またはこの両方など、再生する映像をコントロールできるデータで構成することができる。
【００１１】
前記再生映像指定信号は、映像を指定する信号、あるいは映像表示端末を指定する信号など、適宜の信号で構成することができる。
【００１２】
前記再生映像指定処理は、再生する映像をＩＤなどによって指定する処理、再生を実行する映像表示端末をＩＤなどによって指定する処理など、最終的に再生映像を指定できる処理とすることができる。
【００１３】
この発明により、複数の映像表示端末にそれぞれ再生させる映像をコントローラによって集中管理することができる。従って、例えば結婚披露宴会場においてシーンに合わせた映像による演出を適切に行うことができ、利用者の満足度を向上させることができる。
【００１４】
この発明の態様として、前記再生映像指定処理は、全ての前記映像表示端末に同一映像を再生表示させる共通映像指定処理と、一部の前記映像表示端末にのみ所定の映像を再生表示させ他の前記映像表示端末に異なる映像を表示させる個別映像指定処理とで構成することができる。
【００１５】
これにより、複数の映像表示端末に対して、共通する映像を再生させることと個別の映像を再生させることをコントロールすることができ、多様な演出を行うことができる。
【００１６】
またこの発明の態様として、前記再生映像指定信号は、映像データを指定する映像指定情報が含まれる構成とすることができる。  
これにより、映像表示端末に映像データを複数記憶させておき、この中から再生する映像を指定させることができ、映像コントロールを行う際の通信データ量を削減することができる。
【００１７】
またこの発明の態様として、前記再生映像指定信号は、映像表示端末を指定する端末指定情報が含まれる構成とすることができる。  
前記端末指定情報は、映像表示端末に付与したＩＤ、映像表示端末の設置場所に応じて付与した卓Ｎｏと席Ｎｏ、あるいは映像表示端末が通信に用いるＩＰアドレスなど、映像表示端末を特定し得る適宜の情報で構成することができる。
【００１８】
この態様により、映像表示端末を指定して映像を再生させることができ、映像表示端末単位での再生コントロールを容易に実現できるようになる。
【００１９】
またこの発明の態様として、前記映像表示端末の記憶手段は、前記映像データと前記映像指定情報を紐付けて記憶する構成であり、該紐付けは、全ての映像表示端末に同一の映像指定情報を用い各映像表示端末の記憶手段に、前記映像指定情報に紐付けた映像データを記憶する構成でとすることができる。
【００２０】
これにより、コントローラが各映像表示端末に共通の映像指定情報を送信すれば、映像表示端末が予め記憶している映像から映像指定情報に応じた映像を再生でき、映像表示端末別に異なる映像の再生することや、全ての映像表示端末で共通する映像を再生することができる。
【００２１】
またこの発明の態様として、前記コントローラは、前記通信手段により映像データを送信する映像送信処理を実行する構成であり、前記再生映像指定信号は、前記映像送信手段で送信する映像データを再生する映像表示端末を指定する信号であり、前記映像表示端末は、映像データを受信しつつ該映像データの映像を再生するストリーミング再生手段を備え、該ストリーミング再生手段は、前記通信手段により受信した前記再生映像指定信号が自己を指定している場合に、ストリーミング再生を行う構成とすることができる。
【００２２】
前記映像送信処理は、ストリーミング再生可能に映像データを送信する処理とすることができ、例えば、ＭＯＶ、ＡＶＩ、ＡＳＦ、ＷＭＶ、ＲＭ、Ｍｐｅｇ１、Ｍｐｅｇ２、またはＭｐｅｇ４など、適宜のファイル形式により映像データを送信することができる。
【００２３】
前記ストリーミング再生手段は、映像データを受信しつつ再生するストリーミング再生を行う手段で構成することができる。
【００２４】
この態様により、映像表示端末に事前に映像データを記憶させる必要がなく、より便利に利用することができる。また、事前に映像データを映像表示端末に登録せずに済むことにより、演出の直前であってもコントローラに記憶している映像データを変更等するだけで、容易に変更を反映して演出できる。
【００２５】
またこの発明は、映像を表示する映像表示手段と、映像データを記憶する記憶手段と、通信を行う通信手段とを備えた複数の映像表示端末と、映像コントロール用の制御データを記憶する記憶手段と、操作入力を受け付ける入力手段と、前記各映像表示端末と通信する通信手段とを備えたコントローラとを用いて、各映像表示端末にて再生する映像をコントロールする再生映像コントロール方法であって、前記コントローラは、前記入力手段による入力操作に従って前記各映像表示端末に対して再生映像を指定する再生映像指定信号を送信する再生映像指定処理を実行し、前記映像表示端末は、前記再生映像指定信号を受信すると、該再生映像指定信号の内容を読取り、該再生映像指定信号に従って前記記憶手段に記憶している映像データを再生表示する再生映像コントロール方法とすることができる。
【００２６】
これにより、複数の映像表示装置をコントローラによって制御して様々な映像による演出を実現することができる。
【発明の効果】
【００２７】
この発明により、映像を見る対象人物に対して個別の映像を見せることが可能な再生映像コントロールシステムおよび再生映像コントロール方法を提供し、利用者の満足度を向上させることができる。
【図面の簡単な説明】
【００２８】
【図１】卓上表示装置が設置されたゲストテーブルの斜視図。
【図２】表示映像コントロールシステムの利用状態を説明する説明図。
【図３】表示映像コントロールシステムの構成を示す機能ブロック図。
【図４】各種データの構成図。
【図５】管理装置に表示する画面の説明図。
【図６】管理装置に表示する画面の説明図。
【図７】管理装置に表示する画面の説明図。
【図８】管理装置に表示する画面の説明図。
【図９】表示映像コントロールシステムの全体の処理を示すフローチャート。
【図１０】映像をコントロールする処理のフローチャート。
【図１１】卓上表示装置に表示する映像の説明図。
【図１２】ゲームをする処理のフローチャート。
【図１３】制御方法の例を示す表。
【図１４】各卓上表示装置に記憶する映像データの説明図。
【図１５】実施例２の表示映像コントロールシステムの機能ブロック図。
【図１６】実施例３の演出テーブル装置の平面図。
【図１７】実施例３の表示映像コントロールシステムの機能ブロック図。
【発明を実施するための形態】
【００２９】
この発明の一実施形態を以下図面と共に説明する。  
【実施例１】
【００３０】
まず、卓上表示装置７に事前に映像データを記憶しておき、この映像データの再生を管理装置２により管理する実施例１について説明する。
【００３１】
図１は、表示映像コントロールシステムに用いられる卓上表示装置７が結婚披露宴会場にて設置された状態のゲストテーブルの斜視図であり、図２は、表示映像コントロールシステム１の利用状態を説明する説明図であり、図３は、表示映像コントロールシステム１の構成を示す機能ブロック図である。
【００３２】
この実施例は、結婚披露宴にて利用される例であり、ゲストテーブル（以下、卓ともいう）に複数の卓上表示装置７が設置されている。この卓上表示装置７は、席数に対応しており、１人のゲストについて１つ設置されている。この卓上表示装置７は、ゲストテーブル上の演出を行うものであり、図示省略する花や演出用器具（例えば蛍光液の収納容器やキャンドルなど）と共に卓上を華やかにする。なお、卓上表示装置７の数は、１人のゲストに１つとするに限らず、２人に１つとする、あるいは各ゲストの間位置に設置するなど、適宜の数に配置することができる。
【００３３】
図２に示すように、表示映像コントロールシステム１は、管理装置２と、ルータ４と、各ゲストテーブルに１台設置された複数のＨＵＢ５と、各ＨＵＢ５に複数接続されて各ゲストテーブルに複数設置された卓上表示装置７と、プロジェクタ９とで構成されている。この表示映像コントロールシステム１は、全ての卓上表示装置７に表示する映像をコントロールすると共に、プロジェクタ９によりスクリーンＳに投影する映像もコントロールする。
【００３４】
図３に示すように、管理装置２には、ルータ４が接続され、このルータ４に複数台のＨＵＢ５が接続されている。ＨＵＢ５には、参加者用の複数台の卓上表示装置７が接続されている。また、管理装置２には、会場全体用のプロジェクタ９も接続されている。これらの装置間の接続は、ＬＡＮケーブルなどを利用した有線接続とする、あるいは無線ＬＡＮやブルートゥース（登録商標）を利用した無線接続とするなど、通信可能な適宜の接続とすることができる。
【００３５】
管理装置２は、キーボードやマウスといった入力装置、液晶ディスプレイやＣＲＴディスプレイといった表示装置、ＬＡＮボードなどの通信装置、ハードディスクなどの記憶装置、ＣＰＵなどの制御装置、およびＵＳＢなどの接続インターフェースを備えた適宜のコンピュータにより構成されており、これらのハードウェアを用いて次の機能ブロックが実現される。
【００３６】
この管理装置２は、上記各装置を利用するソフトウェアによる情報処理の機能ブロックとして、メニュー操作部１１、映像登録部１２、卓数登録部１３、再生順登録部１４、記憶部１５、映像転送部１６、再生制御部１７、表示制御部１８、信号集計部１９、および通信ＩＦ部２０が設けられている。
【００３７】
メニュー操作部１１は、メインメニュー画面５０（図５（Ａ）参照）を表示装置に表示し、入力装置による操作入力を受けて各処理に移行する機能を実行する。
【００３８】
映像登録部１２は、映像登録画面６０（図５（Ｂ）参照）を表示装置に表示し、入力装置による操作入力を受けて映像（動画および静止画）を記憶部１５に登録する機能を実行する。
【００３９】
卓数登録部１３は、卓数登録画面７０（図６（Ａ）参照）を表示装置に表示し、入力装置による操作入力を受けて卓数（ゲストテーブルの数）および各卓のゲスト名等を記憶部１５に登録する機能を実行する。
【００４０】
再生順登録部１４は、再生制御データ登録画面８０（図６（Ｂ）参照）を表示装置に表示し、入力装置による操作入力を受けて卓数（ゲストテーブルの数）および各卓のゲスト名等を記憶部１５に登録する機能を実行する。
【００４１】
記憶部１５は、図４に示す映像データファイル４１、卓数データファイル４２、および再生制御データファイル４３を記憶している。
【００４２】
映像転送部１６は、映像転送画面９０（図７（Ａ）参照）を表示装置に表示し、入力装置による操作入力を受けて、再生制御データ登録画面８０で登録された映像を記憶部１５から卓上表示装置７（指定のデバイス）へ転送する機能を実行する。
【００４３】
再生制御部１７は、再生制御画面１００（図７（Ｂ）参照）を表示装置に表示し、入力装置による操作入力を受けて各卓上表示装置７に再生させる映像をコントロールする機能を実行する。
【００４４】
表示制御部１８は、信号集計部１９から受け取るデータを含めてプロジェクタ９に表示する内容を制御する機能を実行する。
【００４５】
信号集計部１９は、卓上表示装置７でタッチ入力された信号を通信ＩＦ部２０を介して受信し、このタッチ入力された信号を集計して表示制御部１８へ伝達する。集計する内容としては、例えばゲームの回答の集計などである。  
通信ＩＦ部２０は、ルータ４およびＨＵＢ５を介して卓上表示装置７と通信する機能を実行する。
【００４６】
ルータ４およびＨＵＢ５は、管理装置２と卓上表示装置７の間のデータの送受信を中継する。
【００４７】
卓上表示装置７は、タッチパネルで構成される入力装置、液晶ディスプレイや有機ＥＬディスプレイといった表示装置、ＬＡＮボードなどの通信装置、不揮発性メモリなどの記憶装置、ＣＰＵなどの制御装置、およびＵＳＢなどの接続インターフェースを備えた適宜のコンピュータにより構成されており、これらのハードウェアを用いて次の機能ブロックが実現される。
【００４８】
この卓上表示装置７は、上記各装置を利用するソフトウェアによる情報処理の機能ブロックとして、通信ＩＦ部３１、信号解析部３２、記憶処理部３３、記憶部３４、映像読出部３５、表示制御部３６、表示入力部３７、および信号転送部３８が設けられている。
【００４９】
通信ＩＦ部３１は、ルータ４およびＨＵＢ５を介して管理装置２と通信する機能を実行する。  
信号解析部３２は、通信ＩＦ部３１を介して管理装置２から受信した信号を解析する機能を実行する。この解析では、受信した信号が自己向けの信号か、どのような処理（たとえば映像登録または映像再生）が指示されているか、再生する映像としてどの映像データが指定されているかといった内容を取得する。
【００５０】
記憶処理部３３は、信号解析部３２での解析結果が映像登録の要請であった場合に、受信した映像データを記憶部３４に記憶する処理を実行する。  
記憶部３４は、演出に用いる多数の映像データを記憶している。この映像データには、少なくともＩＤまたは名前といったユニークな識別情報が付与されており、信号解析部３２で解析した識別情報に対応する映像データを再生できるようにしている。この記憶部３４は、不揮発性メモリやハードディスク等で構成することができる。
【００５１】
映像読出部３５は、記憶部３４に記憶されている映像データを読み出す機能を実現する。  
表示制御部３６は、映像読出部３５が読み出した映像データを表示入力部３７のモニタ３７ａに表示する。この表示制御部３６は、例えばＶＲＡＭ（Video Random Access Memory）を備えて構成することができる。
【００５２】
表示入力部３７は、モニタ３７ａに映像を表示する機能と、モニタ３７ａに重ねて設けられたタッチパネル３７ｂがタッチされると該タッチ入力を送信する機能とを実行する。
【００５３】
信号転送部３８は、タッチパネル３７ｂでタッチ入力された信号を、通信ＩＦ部３１から管理装置２へ送信する機能を実行する。  
プロジェクタ９は、管理装置２の表示制御部１８から受信する映像信号に従って、該映像をスクリーンＳに投影する機能を実行する。
【００５４】
図４は、各種データの構成を示す説明図である。  
映像データファイル４１は、図４（Ａ）に示すように、ＩＤ、名称、および映像データアドレスにより構成されている。これにより、映像データを管理することができる。
【００５５】
卓数データファイル４２は、図４（Ｂ）に示すように、卓Ｎｏ，席Ｎｏ，氏名、肩書き、及び、備考により構成されている。この卓Ｎｏと席Ｎｏとで卓上表示装置７を特定できるようにしており、卓Ｎｏと席Ｎｏをあわせたものを卓上表示装置７のＩＤとしている。
【００５６】
再生制御データファイル４３は、図４（Ｃ）に示すように、ＩＤと、順番と、シーン名と、種類と、卓Ｎｏ．および席Ｎｏ．と、映像ＩＤと、解除映像ＩＤとで構成される。
【００５７】
図４（Ｄ）は、管理装置２が卓上表示装置７に送信する制御信号４４のデータ構成を示している。この制御信号４４は、ヘッダ、対象機器、動作指示、内容データ、およびフッタにより構成されている。
【００５８】
ヘッダは、制御信号の開始を示すデータである。  
対象機器は、その制御信号４４が動作させたい対象の機器を示しており、卓上表示装置７にユニークに付与されたＩＤで構成されている。  
動作指示は、指定した映像データの再生開始指示、送信する映像データの記憶支持など、卓上表示装置７に実行させたい動作の指示が記憶されている。
【００５９】
内容データは、再生させたい映像データのＩＤや、記憶させたい映像データなど、適宜のデータが記憶されている。  
フッタは、制御信号４４の終了を示すデータである。
【００６０】
図５（Ａ）は、メニュー操作部１１により表示されるメインメニュー画面５０の画面イメージの構成図である。  
メインメニュー画面５０は、事前準備領域５１、本番操作領域５６、および終了ボタン５９が設けられている。
【００６１】
事前準備領域５１は、映像登録ボタン５２、卓数登録ボタン５３、再生順登録ボタン５４、および映像転送ボタン５５が設けられている。  
映像登録ボタン５２は、押下されると、映像登録部１２に処理を渡し、映像登録画面６０を表示する。
【００６２】
卓数登録ボタン５３は、押下されると、卓数登録部１３に処理を渡し、卓数登録画面７０を表示する。
【００６３】
再生順登録ボタン５４は、押下されると、再生順登録部１４に処理を渡し、再生制御データ登録画面８０を表示する。
【００６４】
映像転送ボタン５５は、押下されると、映像転送部１６に処理を渡し、映像転送画面９０を表示する。
【００６５】
本番操作領域５６は、再生制御ボタン５７、および集計表示ボタン５８が設けられている。  
再生制御ボタン５７は、押下されると、再生制御部１７に処理を渡し、再生制御画面１００を表示する。  
集計表示ボタン５８は、押下されると、表示制御部１８に処理を渡し、図示省略する集計画面をプロジェクタ９によりスクリーンＳに投影する。また同時に、プロジェクタ９に表示する集計画面を、各卓上表示装置７にも表示させる。このときの表示は、管理装置２が映像データを卓上表示装置７に直接送信し、卓上表示装置７が受信した映像データを再生表示するとよい。この集計画面は、静止画像とすることで、データ量を少なくし、短時間に卓上表示装置７へ送信して表示することができる。
【００６６】
図５（Ｂ）は、映像登録部１２により表示される映像登録画面６０の画面イメージの構成図である。  
映像登録画面６０は、ストック映像保存場所選択部６１と、ストック映像選択部６２と、登録先選択部６３と、登録映像設定部６４と、キャンセルボタン６５と、登録ボタン６６とで構成されている。
【００６７】
ストック映像保存場所選択部６１は、管理装置２内や外部の記憶装置にストックされている映像の入っているフォルダを探し出して選択するドロップダウンリストである。
【００６８】
ストック映像選択部６２は、ストック映像保存場所選択部６１で指定されたフォルダ内から必要な映像データを選択する部位である。このストック映像選択部６２で選択された映像データは、登録予定の映像データとして登録映像設定部６４に表示される。
【００６９】
登録先選択部６３は、卓上表示装置７の記憶装置において映像データと登録するフォルダを探し出して選択するドロップダウンリストである。  
登録映像設定部６４は、ストック映像選択部６２で選択された映像データが一覧表示される。  
キャンセルボタン６５は、処理をキャンセルするボタンであり、登録ボタン６６は、指定された映像データの卓上表示装置７への登録を実行するボタンである。
【００７０】
図６（Ａ）は、卓数登録部１３により表示される卓数登録画面７０の画面イメージの構成図である。  
卓数登録画面７０は、更新ボタン７１、卓数入力部７２、ゲスト入力部７３、キャンセルボタン７４、および登録ボタン７５が設けられている。
【００７１】
更新ボタン７１は、押下されると、卓数入力部７２に入力されている卓数までゲスト入力部７３に入力することを可能とするように表示を更新する。  
卓数入力部７２は、卓数を入力させるテキストボックスである。
【００７２】
ゲスト入力部７３は、卓番号、席番号、氏名、肩書き、および備考などを入力許容する領域である。ここで、卓番号は、卓数入力部７２で入力された数の種類までしか入力できないように構成されている（図示の例ではＡ〜Ｊの１０個）。  
キャンセルボタン７４は、処理をキャンセルするボタンであり、登録ボタン７５は、入力された卓数やゲスト情報を記憶部１５に登録するボタンである。
【００７３】
図６（Ｂ）は、再生順登録部１４により表示される再生制御データ登録画面８０の画面イメージの構成図である。  
再生制御データ登録画面８０は、ユーザ情報表示部８１、再生制御データ入力部８２、キャンセルボタン８３、および登録ボタン８４が設けられている。
【００７４】
ユーザ情報表示部８１は、このデータを用いるユーザの情報を入力・表示する部位である。このユーザ情報表示部８１は、メインメニュー画面５０、映像登録画面６０、卓数登録画面７０、映像転送画面９０、および再生制御画面１００といった他の画面にも設けてもよい。
【００７５】
再生制御データ入力部８２は、再生制御用のデータの入力を許容する領域であり、ＩＤ、順番、シーン名、種類、卓、席、映像ＩＤ、および解除映像ＩＤで構成されている。
【００７６】
ＩＤはそのデータのＩＤであり、順番は何番目に用いられるデータであるかを示している。
【００７７】
シーン名はどのシーンに用いるかわかり易くするように名前を付けるものであり、種類は動画映像や静止画といった種類をわかりやすく表示する。
【００７８】
卓はどの卓かを示すアルファベットが入力され、席はどの席かを示す数字が入力され、映像ＩＤは再生する映像データのＩＤが入力されている。
【００７９】
解除映像ＩＤは、例えば他の卓と異なる映像データを表示する設定となっている卓上表示装置７について、当該異なる映像データの表示を終了した際にどの映像データを表示するか示すものである。これにより、一時的に特定の卓上表示装置７で特別な映像を再生していても、この再生をした後、他の卓と同じ映像を表示するといったことが可能になる。
【００８０】
キャンセルボタン８３は、処理をキャンセルさせるボタンであり、登録ボタン８４は、入力された再生制御データを記憶部１５に登録するボタンである。
【００８１】
図７（Ａ）は、映像転送部１６により表示される映像転送画面９０の画面イメージの構成図である。  
映像転送画面９０は、転送映像一覧表示部９１と、転送先表示部９２と、転送ボタン９３と、キャンセルボタン９４とが設けられている。
【００８２】
転送映像一覧表示部９１は、再生制御データ登録画面８０で指定された全ての映像データを一覧表示し、この映像データが転送されることを示す。  
転送先表示部９２は、転送映像一覧表示部９１に表示した映像データを転送する先を指定させる領域であり、例えば卓上表示装置７が指定される。ここで、卓上表示装置７は、管理装置２に対してルータ４やＨＵＢ５を介して接続されることに限らず、ＵＳＢなどの他のインターフェースを用いて接続し、直接的にデータ転送する構成にしてもよい。  
転送ボタン９３は、転送を実行するボタンであり、キャンセルボタン９４は、転送をキャンセルするボタンである。
【００８３】
図７（Ｂ）は、再生制御部１７により表示される再生制御画面１００の画面イメージの構成図である。  
再生制御画面１００は、再生映像コントロール領域１０１と、次へボタン１０３と、再生状態確認領域１０４とで主に構成されている。
【００８４】
再生映像コントロール領域１０１は、シーン選択ボタン１０２が複数順番に並べて配置されている。このシーン選択ボタン１０２は、押下操作されると、そのシーンに選択されている映像を再生するように各卓の卓上表示装置７に制御信号４４を送信するためのものである。
【００８５】
次へボタン１０３は、押下操作されると、現在映像を再生しているシーンについてのシーン選択ボタン１０２から、次のシーン選択ボタン１０２へと進める。すなわち、通常は、この次へボタン１０３を押下操作するだけで、各卓の卓上表示装置７に表示する映像が正しい順番で切り替わるようになっている。
【００８６】
再生状態確認領域１０４は、どの卓にどの映像を再生しているかをオペレータが認識できるように表示する領域である。この再生状態確認領域１０４には、卓マーク１０５と、卓上表示装置マーク１０６が実際の配置に近いイメージで表示される。卓マーク１０５と卓上表示装置マーク１０６の数は、卓数データファイル４２の卓Ｎｏ．の数と各卓における席Ｎｏ．の数とから決定することができる。
【００８７】
また、再生状態確認領域１０４には、再生している映像を示す映像プレビュー部１０７と、その映像がどの卓上表示装置７で再生されているか示す再生場所表示部１０８が設けられている。再生場所表示部１０８は、その映像が再生されている卓上表示装置マーク１０６と同じ色や模様が表示される。
【００８８】
詳述すると、図７（Ｂ）の状態では、全ての卓上表示装置７に同一の映像を再生させているため、全ての卓上表示装置マーク１０６と再生場所表示部１０８が同一の色・模様で表示されている。
【００８９】
図８（Ａ）は、ある１つの卓に設置されている複数の卓上表示装置７が、他の卓の卓上表示装置７と異なる映像を表示している状態を示している。このとき、その異なる映像を表示している卓上表示装置７の卓上表示装置マーク１０６ｂが、他の多くの卓上表示装置マーク１０６ａと異なる色・模様に表示されている。
【００９０】
そして、多くの卓上表示装置マーク１０６ａに対応する再生場所表示部１０８ａの上に、その卓の卓上表示装置７に表示している映像を映像プレビュー部１０７ａとして示し、少数の卓上表示装置マーク１０６ｂに対応する再生場所表示部１０８ｂの上に、その卓の卓上表示装置７に表示している映像を映像プレビュー部１０７ｂとして示す。これにより、どの卓のどの席に設置された卓上表示装置７が、どの映像を再生しているのか容易かつ明瞭に確認することができる。
【００９１】
また、図８（Ｂ）は、１つの卓の１つの席に対応する卓上表示装置７のみ他と異なる映像を表示する例を示している。この場合も卓上表示装置マーク１０６ａ、映像プレビュー部１０７ａ、および再生場所表示部１０８ａにより多くの卓上表示装置７に表示する映像を示し、卓上表示装置マーク１０６ｂ、映像プレビュー部１０７ｂ、および再生場所表示部１０８ｂにより一部の卓上表示装置７に表示する映像を示している。
【００９２】
図９は、表示映像コントロールシステム１の全体の処理を示すフローチャートである。  
管理装置２のメニュー操作部１１（図３参照）は、表示装置にメインメニュー画面５０（図５（Ａ）参照）を表示する（ステップＳ１）。
【００９３】
映像登録ボタン５２が押下されると（ステップＳ２：Ｙｅｓ）、映像登録部１２は、映像登録画面６０を表示し、映像登録処理を実行する（ステップＳ３）。
【００９４】
卓数登録ボタン５３が押下されると（ステップＳ４：Ｙｅｓ）、卓数登録部１３は、卓数登録画面７０を表示し、卓数登録処理を実行する（ステップＳ５）。
【００９５】
再生順登録ボタン５４が押下されると（ステップＳ６：Ｙｅｓ）、再生順登録部１４は、再生制御データ登録画面８０を表示し、再生順登録処理を実行する（ステップＳ７）。
【００９６】
映像転送ボタン５５が押下されると（ステップＳ８：Ｙｅｓ）、映像転送部１６は、映像転送画面９０を表示し、映像転送処理を実行する（ステップＳ９）。
【００９７】
再生制御ボタン５７が押下されると（ステップＳ１０：Ｙｅｓ）、再生制御部１７は、再生制御画面１００を表示し、再生制御処理を実行する（ステップＳ１１）。
【００９８】
集計表示ボタン５８が押下されると（ステップＳ１２：Ｙｅｓ）、信号集計部１９による集計を行い、表示制御部１８は、図示省略する集計画面をプロジェクタ９によりスクリーンＳに投影する集計表示処理を実行する（ステップＳ１３）。
【００９９】
終了ボタン５９が押下されるまで処理を継続し（ステップＳ１４：Ｎｏ）、終了ボタン５９が押下されると（ステップＳ１４：Ｙｅｓ）、処理を終了する。
【０１００】
図１０は、表示映像コントロールシステム１を用いて卓上表示装置７に再生させる映像をコントロールする処理のフローチャートを示す。  
上述した再生制御処理（ステップＳ１１）が開始されると、再生制御部１７は、表示装置に再生制御画面１００を表示する（ステップＳ２１）。
【０１０１】
再生制御部１７は、映像進行に関する操作がなされるまで待機し（ステップＳ２２：Ｎｏ）、操作がなされると（ステップＳ２２：Ｙｅｓ）、次の再生制御データを読み出して（ステップＳ２３）、制御信号４４として全ての卓上表示装置７に送信する（ステップＳ２４）。
【０１０２】
再生制御部１７は、終了ボタン５９の押下による終了操作がなされるまで（ステップＳ２５：Ｎｏ）、ステップＳ２２に処理を戻して継続し、終了操作がされると（ステップＳ２５：Ｙｅｓ）、処理を終了する。
【０１０３】
一方、卓上表示装置７の信号解析部３２は、上記ステップＳ２４で送信された制御信号４４を受信すると（ステップＳ２６：Ｙｅｓ）、制御信号４４で指定された対象機器に自己が該当するか否か判定する（ステップＳ２７）。
【０１０４】
該当する場合（ステップＳ２７：Ｙｅｓ）、指定された映像を映像読出部３５が記憶部３４から読み出し、表示制御部３６が表示入力部３７に表示して映像の再生を開始する（ステップＳ２８）。この後、映像は再生し続ける。
【０１０５】
再生する映像としては、例えば図１１（Ａ）に示すウェルカムメッセージや席札表示、図１１（Ｂ）に示す演出映像、図１１（Ｃ）に示す料理のメニュー、図１１（Ｄ）に示すゲーム画面など、様々な映像を採用することができる。
【０１０６】
制御信号４４を受信していないときや（ステップＳ２６：Ｎｏ）、対象機器に該当しないとき（ステップＳ２７：Ｎｏ）、表示制御部３６は、ＥＯＦ（エンド・オブ・ファイル）か否か確認する（ステップＳ２９）。
【０１０７】
ＥＯＦでなければ（ステップＳ２９：Ｎｏ）、制御信号４４の受信チェック（ステップＳ２６）を継続し、ＥＯＦであれば（ステップＳ２９：Ｙｅｓ）、表示制御部３６は、再生していた指定映像の最初に戻ってリピート再生を行い（ステップＳ３０）、ステップＳ２６へ処理を戻す。これにより、披露宴の進行の遅延などによって映像により演出する時間が想定時間よりも長くなっても、同じ映像をリピート再生することで問題なく演出を継続できる。
【０１０８】
図１２は、表示映像コントロールシステム１を用いてゲームをする処理のフローチャートを示す。  
卓上表示装置７は、タッチパネル３７ｂにタッチがされて入力操作を受け付けるまで待機する（ステップＳ４１：Ｎｏ）。
【０１０９】
入力操作を受け付けると（ステップＳ４１：Ｙｅｓ）、卓上表示装置７は、入力された入力信号を管理装置２へ転送する（ステップＳ４２：Ｙｅｓ）。
【０１１０】
管理装置２は、入力信号を受信するまで待機し（ステップＳ４３：Ｎｏ）、入力信号を受信すると（ステップＳ４３：Ｙｅｓ）、信号集計部１９は、受信した入力信号を集計する（ステップＳ４４）。この集計では、例えば４択などの選択問題の回答に偏りがあるか、人数分の回答がきちんと得られているか否かなど、入力信号の集計を行う。
【０１１１】
表示制御部１８は、集計結果を受け取り、この集計結果を管理装置に表示する（ステップＳ４５）。
【０１１２】
以上の構成および動作により、表示映像コントロールシステム１は、披露宴会場にて各卓の各席に対応して設置された複数の卓上表示装置７に対し、一斉に同一の映像を再生させる、一部の卓上表示装置７にのみ異なる映像を再生させるといったコントロールを行うことができる。このコントロールにより、卓別に映像を異ならせることもでき、例えばある卓の卓上表示装置７には共通する映像を再生させ、他の卓の卓上表示装置７にはこれと異なる映像を再生させるといったこともできる。また、同じ卓の中でも卓上表示装置７毎に異なる映像を再生することや、同じ卓の中で一部の卓上表示装置７に個別の映像を再生させて残りの卓上表示装置７に共通する別の映像を再生させるといったコントロールもできる。
【０１１３】
映像の再生指示には、卓上表示装置７を指定する対象機器の識別情報と、映像を指定する映像データのＩＤとが含まれているため、指定を受けた卓上表示装置７のみが映像再生の開始や映像の切り替えを実行することができる。
【０１１４】
このため、例えば全ての卓上表示装置７に所定の映像を連続的に再生させておき、その途中で指定した一部の卓上表示装置７にのみ別の映像に切り替えても、残りの卓上表示装置７の映像の再生を途切れさせることなく継続することができる。
【０１１５】
また、再生制御データファイル４３には、１つの映像再生指示のデータの中に、映像ＩＤに加えて解除映像ＩＤを記憶できるため、再生映像のコントロールをより便利に行うことができる。すなわち、一部の卓上表示装置７にのみ異なる映像を再生させた場合に、所定タイミングでこの異なる映像の再生をやめてもとの映像（解除映像ＩＤの映像）を再生することを容易に実行できる。
【０１１６】
また、映像データは事前に卓上表示装置７の記憶部３４に記憶させておくため、管理装置２は、映像データの映像ＩＤを指定するだけでよい。このため、通信回線に流れるデータ量を非常に少なくすることができる。またこれにより、取り扱うデータ量を少なくして表示映像コントロールシステム１の動作を軽くすることができ、ストレスなく運用することができる。
【０１１７】
このようにして、例えば開始前の段階で各卓上表示装置７に席札のごとくその席の参列者の名前をそれぞれ表示しておきインフォメーションボードとして利用する、入場などのイベントで全ての卓上表示装置７に同じ映像を表示する、キャンドルサービスの際に新郎新婦が回っている卓の各卓上表示装置７のみ他の卓の卓上表示装置７と異なる映像を表示して盛り上げる、ゲーム画面を表示して入力を求めて参加型の演出を実現するなど、様々な演出を自由に行うことができる。
【０１１８】
また、光の演出シーンで発光液と同じ光のエフェクト映像を再生表示する、演出名をタイポグラフィで表示する、入場シーンでふたりの歩くスピードに合わせて近くの卓上表示装置７が点灯するといった演出も行うことができる。
【０１１９】
なお、以上の実施例では、管理装置２が制御信号４４として対象機器や映像データを指定して動作する卓上表示装置７および再生する映像データを制御していたが、これに限らず他の方法を採用することもできる。
【０１２０】
図１３の説明図は、制御方法の例を示す表であり、パターン１は、実施例１の制御法を示している。すなわち、制御信号４４は、卓Ｎｏ．と席Ｎｏ．によりモニタＩＤ（卓上表示装置７のＩＤ）を指定し、さらに卓上表示装置７が記憶している映像ＩＤ（映像データのＩＤ）を指定している。このため、全ての卓上表示装置７に同じ映像データを記憶しておき、管理装置２でコントロールすることができる。従って、卓上表示装置７別に異なる映像データを記憶させるといったことをする必要がなく、完全なコントロールを確実に実行できる。
【０１２１】
パターン２は、制御信号４４でモニタＩＤを特定せず、映像ＩＤも指定しない構成としている。この場合は、卓上表示装置７別に、必要に応じて異なる映像データを記憶させておく必要がある。すなわち、図１４に示すように、映像ＩＤは共通し、実際に記憶されている映像データが異なるという状態にする必要がある。図１４の例では、No.555000の位置やNo.555001の席札が、ＩＤ（Ｎｏ）を共通としてその内容の映像が全て異なっている。また、No.555003は、殆どが入場２の映像となっているが、Ａ−２席の卓上表示装置７のみ祝辞準備の映像となっている。この場合は、卓上表示装置７に対応する参加者にのみ祝辞の準備を促す画面を表示することができる。No.555002の入場１やNo.555004の祝辞については、全ての卓上表示装置７で同一の映像が記憶されている。
【０１２２】
この場合は、どの卓上表示装置７でどの映像をどの順で再生するか事前に把握し、その卓上表示装置７で必要な映像のみを記憶させておけば、管理装置２が単純に映像ＩＤの指定や次映像への切り替えを指示するだけで、各卓上表示装置７が自己に記憶されている映像データを再生し、その結果、全ての卓上表示装置７で同じ映像を再生することや、一部の卓上表示装置７のみ違う映像を再生することを実現できる。
【０１２３】
図１３のパターン３は、制御信号４４でモニタＩＤのみを指定し、映像データについては共通したＩＤを指定する構成としたものである。この場合、制御信号４４で指定されたモニタ（卓上表示装置７）だけが応答することとなる。そして、映像データのＩＤが指定されているため、その映像データのＩＤの映像を再生することで、指定された卓上表示装置７が指定された映像を再生することができる。ここで、反応するのはモニタＩＤが指定された卓上表示装置７のみであるから、各卓上表示装置７には、全て同じ映像データを記憶しておいてもよい。この場合、指定した卓上表示装置７にのみ動作させることができるため、指定した一部の卓上表示装置７にのみ再生させたい映像データが、他の卓上表示装置７にも記憶されていたとしても、他の卓上表示装置７は指定されていないから応答しないこととなる。これにより、任意の卓上表示装置７に任意の映像データを再生させることを実現できる。
【０１２４】
また、卓上表示装置７にＱＲコードを表示する構成にしてもよい。このＱＲコードは、別途容易したホームページにアクセスできるものとし、そのホームページに写真や映像をアップロードしておくことで、参加者が自由にダウンロードすることができる。
【実施例２】
【０１２５】
次に、卓上表示装置７に映像データを予め登録することを行わず、管理装置２が各卓上表示装置７に映像データをストリーミング配信し、これを卓上表示装置７がストリーミング再生する実施例２について説明する。
【０１２６】
図１５は、実施例２の表示映像コントロールシステム１Ａの構成を示す機能ブロック図である。  
表示映像コントロールシステム１Ａは、管理装置２Ａ、ルータ４、複数のＨＵＢ５、および各ＨＵＢ５に複数接続された複数の卓上表示装置７Ａで構成され、実施例１と一部が異なっている。
【０１２７】
管理装置２Ａは、実施例１の映像転送部１６および再生制御部１７の代わりにストリーミング配信部２１６が設けられている。このストリーミング配信部２１６は、記憶部１５に記憶されている再生制御データファイル４３に従って、各卓上表示装置７Ａへ向けてそれぞれに再生させる映像データをストリーミング配信する。配信は、卓上表示装置７Ａに割り当てられているＩＰアドレスを利用し、このＩＰアドレスによってどの卓上表示装置７Ａにどの映像データを送信するか制御する。
【０１２８】
卓上表示装置７Ａは、実施例１の信号解析部３２と記憶処理部３３と映像読出部３５の代わりにストリーミング再生部２３５が設けられている。このストリーミング再生部２３５は、通信ＩＦ部３１を介して受信するデータ（信号）を記憶部３４に記憶しつつ、全てのデータを受信し終わらずとも、該データに含まれる映像データの再生を、該データに含まれるメタファイルを利用して再生する。このストリーミング再生技術は、公知の技術を使用すれば良い。
【０１２９】
他の構成要素は、実施例１と同一であるので、同一の構成要素に同一符号を付してその詳細な説明を省略する。
【０１３０】
このように構成された表示映像コントロールシステム１Ａは、実施例１とほぼ同様の動作を実行するとよい。異なる点として、図９に示したステップＳ８〜Ｓ９の映像転送を削除するとよい。
【０１３１】
また、図１９に示した再生制御処理において、ステップＳ２４で制御信号を送信する代わりにストリーミング再生用のデータを配信すると良く、ステップＳ２６ではそのデータの受信を判定し、ステップＳ２８で受信したストリーミング再生用のデータに含まれる映像データのストリーミング再生を行えばよい。
【０１３２】
その他の構成および動作は、実施例１と同一であるので、その詳細な説明を省略する。
【０１３３】
以上の構成および動作により、実施例１と同一の作用効果を得ることができる。また、この実施例２の場合であれば、卓上表示装置７Ａに事前に映像データを記憶させておく必要がないため、より便利に利用することができる。
【０１３４】
なお、この実施例では、ストリーミング再生を利用したが、これに限らず、別途の方法で管理装置２Ａから各卓上表示装置７Ａへ映像を配信する構成にしてもよい。例えば、管理装置２Ａに複数のビデオボードを搭載させ、卓上表示装置７Ａに対してＲＧＢ信号を送信して、卓上表示装置７Ａに映像を表示させる構成にしてもよい。
【０１３５】
また、ＨＵＢ５の近くに中継器を別途備え、この中継器に映像データの記憶と配信を実行させてもよい。この場合は、実施例１のように管理装置２が制御信号を送信し（ステップＳ２４参照）、その制御信号に従って、実施例２のように中継器がステップＳ２４に相当する動作としてストリーミング配信を行えばよい。  
このように構成した場合でも、実施例１と同様の作用効果を得ることができる。
【０１３６】
また、別途ビデオカメラを備えて管理装置２に接続しておき、ケーキカット等のシーンのライブ映像をビデオカメラで撮影し、この撮影映像を管理装置２から卓上表示装置７にストリーミング配信して表示する構成にしてもよい。この場合、ライブ映像を卓上表示装置７に表示することができ、利用者の満足度をさらに向上させることができる。
【実施例３】
【０１３７】
図１６は、実施例３の演出テーブル装置８を説明する平面図である。この実施例３は、卓上表示装置７，７Ａの代わりに、卓そのものを演出テーブル装置８としたものである。この演出テーブル装置８は、卓上に食器１８１や装飾品１８２が載置されて利用されるものであり、上面に表示部１８３が設けられている。この表示部１８３には、各種の演出用の映像が再生表示される。
【０１３８】
図１７は、演出テーブル装置８の構成を示すブロック図である。  
図１７に示すように、ＨＵＢ５には、演出テーブル装置８が接続されている。管理装置２、ルータ４、ＨＵＢ５、およびプロジェクタ９は、実施例１と同一であるので、その詳細な説明を省略する。
【０１３９】
演出テーブル装置８は、テーブル上面に設けられたタッチパネルで構成される入力装置、テーブル上面に映像（画像）を表示する表示装置、ＬＡＮボードなどの通信装置、不揮発性メモリなどの記憶装置、ＣＰＵなどの制御装置、およびＵＳＢなどの接続インターフェースを備えた適宜のコンピュータにより構成されており、これらのハードウェアを用いて次の機能ブロックが実現される。なお、表示装置は、タッチパネルが設けられた上面板に映像を投影するプロジェクタ、液晶ディスプレイや有機ＥＬディスプレイなど、映像（画像）を表示する適宜の装置で構成することができる。
【０１４０】
この演出テーブル装置８は、上記各装置を利用するソフトウェアによる情報処理の機能ブロックとして、通信ＩＦ部１３１、記憶部１３４、演出制御部１３５、表示制御部１３６、表示入力部１３７、および入力検出部１３８が設けられている。
【０１４１】
通信ＩＦ部１３１は、接続された適宜の装置と通信する処理を実行する。この通信により、たとえば映像データを取得する、映像の再生指示を取得するといったことができる。  
演出制御部１３５は、通信ＩＦ部１３１を介して受信する制御信号４６（図５参照）に基づき、記憶部１３４に記憶されている映像データを読み出して再生指示する処理を実行する。
【０１４２】
記憶部１３４は、演出に用いる多数の映像データを記憶している。この映像データには、少なくともＩＤまたは名前といったユニークな識別情報が付与されており、適切な映像データを適切なタイミングで再生できるようにしている。この記憶部１３４は、不揮発性メモリやハードディスク等で構成することができる。
【０１４３】
表示制御部１３６は、演出制御部１３５が読み出した映像データを表示入力部１３７のモニタ１３７ａに表示する。この表示制御部１３６は、例えばＶＲＡＭ（Video Random Access Memory）を備えて構成することができる。
【０１４４】
表示入力部１３７は、モニタ１３７ａに映像を表示する機能と、モニタ１３７ａに重ねて設けられたタッチパネル１３７ｂがタッチされると該タッチ入力を送信する機能とを実行する。なお、入力部としてタッチパネル１３７ｂを設けているが、これに限らず、超音波の発振装置と受信装置を卓上に設けてこの超音波の受信状況（反射あるいは透過）によってタッチ位置を検知する、あるいはカメラを設けて画像解析によってタッチ位置を検知するなど、適宜の方法によってタッチ入力を検知するとよい。
【０１４５】
入力検出部１３８は、タッチパネル１３７ｂでタッチ入力された信号を、演出制御部１３５へ伝達する処理を実行する。タッチ入力を超音波や画像解析による場合は、この超音波や画像解析で解析した入力信号を制御部１３５へ伝達する。  
その他の構成および動作は、実施例１と同一であるので、その詳細な説明を省略する。
【０１４６】
以上の構成および動作により、表示映像コントロールシステム１Ｂは、実施例１と同一の作用効果を得ることができる。  
例えば、全ての演出テーブル装置８に共通する映像を同時に再生させることや、一部の演出テーブル装置８には他と異なる映像を再生させることや、全ての演出テーブル装置８に異なる映像を再生させるといったことができる。
【０１４７】
具体的な例としては、例えばキャンドルサービスや卓上の蛍光液を発光させるような演出において、新郎新婦がキャンドルに火をつけたり蛍光液を発光させるタイミングで、その卓（演出テーブル装置８）の全面に花火や星といった華やかな映像を再生させるといったことができる。
【０１４８】
また、クイズで正解した卓（演出テーブル装置８）に花火や星といった華やかな映像を再生させるといったこともできる。  
このような映像と共に、別途の音響施設等で音を再生し、音と映像による演出を行うこともできる。  
このようにして、卓上全面を使った映像による演出を行うことができ、会場を盛り上げることができる。
【０１４９】
なお、以上の各実施形態では、管理装置２，２Ａによる集中コントロールとしたが、卓上表示装置７，７Ａや演出テーブル装置８を個別にコントロールすることを可能としてもよい。この場合、例えば手元操作が可能なリモートコントローラを卓上表示装置７，７Ａや演出テーブル装置８の１つずつに準備しておき、このリモートコントローラで無線信号を送信して個別に操作するといったことができる。
【０１５０】
この場合、リモートコントローラは、押下ボタンなどの入力装置と、無線信号を送信する通信装置と、データを記憶する記憶装置と、これらを制御する制御装置とを備えていればよい。通信装置は、赤外線通信装置や、ブルートゥース（登録商標）の通信装置など、適宜の装置を採用することができる。また、操作内容を確認できるように液晶ディスプレイなどの表示装置も備えても良い。  
また、卓上表示装置７，７Ａや演出テーブル装置８には、無線信号を受信する無線通信装置を備えておくとよい。
【０１５１】
送信する無線信号は、実施例１で説明した制御信号４４とする、あるいは制御信号４４から対象機器を除いた信号としてリモートコントローラ毎に異なる周波数で信号送信するなど、卓上表示装置７，７Ａや演出テーブル装置８とリモートコントローラを１対１で通信させる構成にすればよい。
【０１５２】
このように、集中コントロールと個別コントロールを併用することで、演出途中でトラブルが発生して集中コントロールができなくなったような場合に、個別コントロールに切り替えて演出操作を続行することができる。
【０１５３】
この発明のコントローラは、実施形態の管理装置２，２Ａに対応し、
以下同様に、
映像表示端末は、卓上表示装置７，７Ａまたは演出テーブル装置８に対応し、
記憶手段は、記憶部１５に対応し、
入力手段は、メニュー操作部１１、映像登録部１２、卓数登録部１３、再生順登録部１４、映像転送部１６、再生制御部１７、および表示制御部１８に対応し、
通信手段は、通信ＩＦ部２０，３１，１３１に対応し、
記憶手段は、記憶部３４，１３４に対応し、
映像表示手段は、モニタ３７ａ，１３７ａに対応し、
映像コントロール用の制御データおよび再生映像指定信号は、制御信号４４またはストリーミング配信データに対応し、
映像指定情報は、制御信号４４の映像ＩＤに対応し、
端末指定情報は、制御信号４４の卓Ｎｏと席Ｎｏに対応し、
映像データを再生する映像表示端末を指定する信号は、ストリーミング配信部２１６に対応し、
ストリーミング再生手段は、ストリーミング再生部２３５に対応し、
再生映像指定処理は、ステップＳ２４に対応し、
映像送信処理は、ストリーミング配信処理に対応するが、
この発明は、上述の実施形態の構成のみに限定されるものではなく、多くの実施の形態を得ることができる。
【産業上の利用可能性】
【０１５４】
この発明は、結婚披露宴などの宴会場にて利用することができ、それ以外にも、複数のディスプレイに対して同時に同一映像を再生させることや一部に異なる映像を再生させる場合に利用することができる。
【符号の説明】
【０１５５】
１，１Ａ…表示映像コントロールシステム、２，２Ａ…管理装置、７，７Ａ…卓上表示装置、８…演出テーブル装置、１１…メニュー操作部、１２…映像登録部、１３…卓数登録部、１４…再生順登録部、１６…映像転送部、１５，３４…記憶部、１７…再生制御部、１８…表示制御部、２０，３１，１３１…通信ＩＦ部、３７ａ，１３７ａ…モニタ、４４…制御信号、２１６…ストリーミング配信部、２３５…ストリーミング再生部
【図１】
2011004128.tif 000003
【図２】
2011004128.tif 000004
【図３】
2011004128.tif 000005
【図４】
2011004128.tif 000006
【図５】
2011004128.tif 000007
【図６】
2011004128.tif 000008
【図７】
2011004128.tif 000009
【図８】
2011004128.tif 000010
【図９】
2011004128.tif 000011
【図１０】
2011004128.tif 000012
【図１１】
2011004128.tif 000013
【図１２】
2011004128.tif 000014
【図１３】
2011004128.tif 000015
【図１４】
2011004128.tif 000016
【図１５】
2011004128.tif 000017
【図１６】
2011004128.tif 000018
【図１７】
2011004128.tif 000019